(57)【特許請求の範囲】
【請求項１】
空気吸入口を有するインク貯蔵室付きの容器と、該容器に備えられたインク供給口と、前記容器と連結する外付けインク放出管からなるインクカートリッジであって、
前記外付けインク放出管は、前記インク供給口を通して前記インク貯蔵室と連通し、
前記インク供給口の中心線は、インクカートリッジの挿入方向と垂直に交わり、前記外付けインク放出管の中心線は、インクカートリッジの挿入方向と平行であり、
第一インク供給口が、前記容器の底壁近くの側壁に備えられ、第一管を通して外付けインク放出管の下部と連通し、第二インク供給口が、第一インク供給口より高い位置に備えられ、第二管を通して外付けインク放出管の最上部と連通することを特徴とするインクカートリッジ。
【請求項２】
前記外付けインク放出管を収納する凹部が容器の外面に形成され、固定部がインク供給口の向かいに備えられ、支持プレートが固定部によって支えられ、特定のインク情報を持つチップが取り外し可能な構造で前記支持プレートに備えられることを特徴とする請求項１記載のインクカートリッジ。
【請求項３】
前記支持プレートの主となる面が外付けインク放出管の中心線と平行し、前記固定部が二つの部分からなることを特徴とする請求項２記載のインクカートリッジ。
【発明の詳細な説明】
【技術分野】
【０００１】
本発明はインクカートリッジ、特にインクジェットプリンターへインクを供給する外付けインク放出管を備えたインクカートリッジに関する。本出願は２００９年９月１２日に出願された中国特許出願第２００９１０３０６９２６.２号に基づき、その内容は参照することにより本出願に組み込まれる。
【背景技術】
【０００２】
現在、インクカートリッジは、主にインクを収納する貯蔵室付きの容器と、インクジェットプリンターにインクを供給するインク供給口を有する。インク供給口はインク貯蔵室の底部に備えられるため、インクの供給はしばしばインクそのものの浸透力と重力に依存することになる。
【０００３】
インクカートリッジがプリンターのキャリッジに取付けられるとき、インクカートリッジは、インク供給口と垂直に交わる水平の往復運動をするため、インク貯蔵室内に泡を生じさせる可能性がある。泡がインク供給口に侵入すると、抵抗が増し、異常なインク供給がなされ、インクの流れをせき止めさえする。こうして吸収圧が増加することで、プリンタヘッドが損傷してしまうことがある。
【発明の概要】
【発明が解決しようとする課題】
【０００４】
本発明の目的はシンプルな構造を有し、インクを一定して円滑に供給するインクカートリッジを提供することである。
【課題を解決するための手段】
【０００５】
上記の目的を達成する解決策として本発明は、インクを収納する貯蔵室付きの容器と、その容器に取り付けられたインク供給口と、前記インク貯蔵室とインク供給口を通して連通する外付けインク放出管とを備えたインクカートリッジを提供する。
【０００６】
本発明の解決策は、インク供給口から直接インクを供給する代わりに、インク供給口と連結してインクを供給する外付けインク放出管を含む。これはプリンタヘッドに対する泡の侵入を防ぐのに効果的で、インクの異常な供給およびプリンタヘッドの損傷を防ぐことができる。
【０００７】
上記の解決策はさらに以下の特徴を備える。インク供給口の中心線はインクカートリッジの挿入方向と垂直に交わり、前記外付けインク放出管の中心線はインクカートリッジの挿入方向と平行する。このような配置によりインク放出管に泡が侵入することが効果的に防がれるため、インクの一定で円滑な供給が可能となる。
【０００８】
上記の解決策はさらに以下の特徴を備える。少なくとも第一インク供給口は、前記容器の底壁近くの側壁に備えられ、第一管を通して外付けインク放出管の下部と連通する。少なくとも第二インク供給口は第一インク供給口よりも高い位置に備えられ、第二管を通して外付けインク放出管の上部と連通する。外付けインク放出管にたとえ少量でも泡が侵入すれば、泡は第二管と第二インク供給口を通ってインク貯蔵室へ戻る。このような構造が防備をより確実なものとし、さらに一定で円滑なインクの供給が可能となる。
【０００９】
上記の解決策はさらに以下の特徴を備える。外付けインク放出管を収納するための凹部が容器の外部面に形成される。インク供給口の向かいに固定部が備えられる。固定部により支持プレートが支えられる。特定のインク情報を持つチップが取り外し可能な構造で支持プレートに備えられる。インクカートリッジとプリンターのキャリッジとがきちんと連携するように、固定部は支持プレートを補強し、チップの電極とプリンターの電極の接触を確実にする。
【００１０】
本発明は別の解決策も提供する。貯蔵室付きの容器がインクを収納する。インクを貯蔵室から外へ供給するインク供給口が容器に備えられる。外付けインク放出管は容器と連結し、インク供給口を通して貯蔵室と連通する。インク供給口は第一インク供給口と第二インク供給口を有する。第一インク供給口は容器の底壁近くの側壁に備えられ、第二インク供給口は側壁の第一インク供給口より高い位置に備えられる。
【００１１】
上記の解決策はさらに以下の特徴を備える。チップを搭載する支持プレートは、インク供給口の向かいに位置する固定部によって固定される。支持プレートの主となる面はインク放出管の中心線と平行する。固定部は二つの固定部分を有し、特定のインク情報を持つチップが取り外し可能な構造で支持プレートに備えられる。インクカートリッジとプリンターのキャリッジとがきちんと連携するように、固定部は支持プレートを補強し、チップの電極とプリンターの電極の接触を確実にする。
【００１２】
上記の解決策はさらに以下の特徴を備える。第一インク供給口は、前記外付けインク放出管の下部と連通し、第二インク供給口はは前記外付けインク放出管の上部と連通する。外付けインク放出管を収納するための凹部が容器の外面に形成される。この設計はインクカートリッジがプリンターのキャリッジに対してしっかりと適合することを確実にする。
【発明の効果】
【００１３】
本発明において、インクカートリッジは少なくとも水平方向を向いたインク供給口と、凹部に収納され、垂直方向を向いた外付けインク放出管を有することで、カートリッジとプリンターの連動を確実なものにする。さらに、一対のインク供給口がインクの供給を円滑にする。もし外付けインク放出管内で泡が生じたとしても、泡は第二インク供給口を通って容器へ戻されるため、インクの異常な供給とプリンタヘッドの損傷は効果的に防がれ、最終的に外付けインク放出管を通ってインクは正常に供給される。
【図面の簡単な説明】
【００１４】
【図１】本発明の実施例の正面図である。
【図２】本発明の実施例の断面図である。
【発明を実施するための形態】
【００１５】
図１と図２に示されているのは、容器１と、インク貯蔵室１１からプリンターへインクを供給するために容器１に備えられたインク供給口２とを有するインクカートリッジである。さらに、外付けインク放出管３が容器１の外側に備えられる。
【００１６】
貯蔵室１１へ空気を入れるための空気吸入口８が容器１の頂部に備えられる。外付けインク放出管３は第一管３１、第二管３２そしてインク供給口２を通して貯蔵室１１と連通する。
【００１７】
インク供給口２の中心線は、インクカートリッジの挿入方向と垂直に交わり、外付けインク放出管３の中心線は、インクカートリッジの挿入方向と平行する。第一インク供給口２１は容器の底壁近くの側壁６に備えられる。第一管３１は、第一インク供給口２１および外付けインク放出管３の下部と連通する。第二インク供給口２２は、第一インク供給口２１より高い位置に備えられ、第二管３２を通して外付けインク放出管３の上部と連通する。
【００１８】
一対の固定部７は、インク供給口２の向かいに備えられる。支持プレート９は固定部７によって支えられる。特定のインク情報を持つチップ５は取り外し可能な構造で支持プレート９に備えられる。
【００１９】
第一管３１、第二管３２、外付けインク放出管３、固定部７、そして支持プレート９を収納するための凹部４が容器の外面に形成される。プリンターのインク供給針をきつく密閉する充填部材１０が外付けインク放出管３に備えられる。インクはインク供給口２、第一管３１、第二管３２そして外付けインク放出管３を通って流れ、最後にプリンターのインク供給針へ到達する。
【符号の説明】
【００２０】
１    容器
２    インク供給口
３    外付けインク放出管
４    凹部
６    側壁
７    固定部
１０    充填部材
２１    第一インク供給口
２２    第二インク供給口
３１    第一管
３２    第二管
【図１】
0005450782.tif 000002
【図２】
0005450782.tif 000003